(57)【要約】      （修正有）【課題】飾り物等の物品を吊り下げ可能なフックが設けられる室名札でありながら、吊り下げ用フックによってデザイン性が低下したり、不使用時にフックが邪魔になる等の不都合を回避できる室名札を提供する。【解決手段】ネームプレート９が装着可能であり、部屋の入口付近に取り付けられる室名札１であって、該室名札１に、物品を吊り下げ可能なフック３を設けると共に、該フック３の姿勢を、物品を吊り下げる使用姿勢と、室名札本体２の裏側又は内部に隠れる収納姿勢とに変更自在とした。【選択図】図３
2008164936.tif 000002
【特許請求の範囲】
【請求項１】
ネームプレートが装着可能であり、部屋の入口付近に取り付けられる室名札であって、該室名札に、物品を吊り下げ可能なフックを設けると共に、該フックの姿勢を、物品を吊り下げる使用姿勢と、室名札本体の裏側又は内部に隠れる収納姿勢とに変更自在としたことを特徴とする室名札。
【請求項２】
前記室名札本体は、前面下端から垂下するエプロン部を有し、
収納姿勢のフックは、エプロン部の裏側に隠れ、
使用姿勢のフックは、エプロン部の下側に露出し、かつ、フック先端がエプロン部よりも前方に突出することを特徴とする請求項１に記載の室名札。
【請求項３】
前記フックは、室名札本体の下側に上下動自在に設けられると共に、上方の収納位置に向けて常時付勢され、使用時に下方の使用位置に引き出されることを特徴とする請求項１又は２に記載の室名札。
【請求項４】
前記フックは、縦軸を中心として回動自在であり、フック先端が左又は右を向く姿勢で下方に引き出された後、フック先端が前方を向くように回動操作することで、上動が規制されることを特徴とする請求項１乃至３の何れかに記載の室名札。
【発明の詳細な説明】
【技術分野】
【０００１】
本発明は、ネームプレート（表札）が装着可能であり、マンション、テナント、アパート等の部屋の入口付近に取り付けられる室名札に関し、特に、飾り物等の物品を吊り下げ可能なフックを備える室名札に関する。
【背景技術】
【０００２】
一般に、マンション、テナント、アパート等のネームプレート（表札）は、部屋の入口付近（壁、柱、ドア等）に直接取り付けられるのではなく、ネームプレートを装着可能な室名札を介して、部屋の入口付近に取り付けられるようになっている（例えば、特許文献１参照）。このような室名札によれば、各部屋の入口付近において、デザインの統一性が図れるだけでなく、入居者や室名が変わる場合に、ネームプレート部分を交換するだけで、表示名を容易に変更できるという利点がある。
【０００３】
ところで、部屋の入口付近においては、飾り物等の物品を吊り下げる場合がある。例えば、マンション等の部屋の入口付近においては、クリスマスリース、正月飾り等の飾り物を吊り下げることが広く行われているが、飾り物等の物品を吊り下げるには、部屋の入口付近にフック等の吊り下げ具を別途設けなければならないという問題がある。
【０００４】
そこで、室名札に吊り下げ具を設けることが提案される。このようにすると、部屋の入口付近にフック等の吊り下げ具を別途設けなくても、飾り物等の物品を吊り下げることが可能になるので、入居者にとって利便性が向上するが、室名札にフック等の吊り下げ具を設けた場合、室名札のデザイン性が低下する惧れがあるだけでなく、不使用時に吊り下げ具が邪魔になるという問題がある。
【特許文献１】実開平５−４５７６１号公報
【発明の開示】
【発明が解決しようとする課題】
【０００５】
本発明は、上記の如き問題点を一掃すべく創案されたものであって、飾り物等の物品を吊り下げ可能なフックが設けられる室名札でありながら、不使用時には、フックを隠すことが可能となり、その結果、フックによってデザイン性が低下したり、不使用時にフックが邪魔になる等の不都合を回避できる室名札の提供を目的とする。
【課題を解決するための手段】
【０００６】
上記課題を解決するために本発明の室名札は、ネームプレートが装着可能であり、部屋の入口付近に取り付けられる室名札であって、該室名札に、物品を吊り下げ可能なフックを設けると共に、該フックの姿勢を、物品を吊り下げる使用姿勢と、室名札本体の裏側又は内部に隠れる収納姿勢とに変更自在としたことを特徴とするものである。
【発明の効果】
【０００７】
本発明は、上記のように構成したことにより、飾り物等の物品を吊り下げ可能なフックが設けられる室名札でありながら、不使用時には、フックを隠すことが可能となり、その結果、フックによってデザイン性が低下したり、不使用時にフックが邪魔になる等の不都合を回避できる。
【発明を実施するための最良の形態】
【０００８】
以下、本発明の実施の形態を好適な実施の形態として例示する室名札を図面に基づいて詳細に説明する。図１は、本発明の実施形態に係る室名札の正面図、図２は、本発明の実施形態に係る室名札の平面図、図３は、本発明の実施形態に係る室名札の側面図、図４は、本発明の実施形態に係る室名札のＡ−Ａ断面図、図５は、本発明の実施形態に係る室名札のＢ−Ｂ断面図である。
【０００９】
これらの図に示すように、本発明の実施形態に係る室名札１は、部屋の入口付近に取り付けられる室名札本体２と、飾り物等の物品を吊り下げ可能なフック３とを備えて構成されている。室名札本体２は、部屋の入口付近の壁面に取り付けられる箱状のベース４と、該ベース４の前面開口を塞ぐ表面プレート５とを有している。表面プレート５は、上部表面プレート６と下部表面プレート７との間に、ネームプレート装着部８を形成しており、ここにネームプレート９がスライド状に装着されるようになっている。また、下部表面プレート７の下部は、ベース４の下端よりも下方に延出しており、室名札本体２の前面下端から垂下するエプロン部１０を形成している。
【００１０】
フック３は、物品を吊り下げ可能なＪ字形状の部材であり、室名札本体２の下側に設けられている。フック３の基部は、ベース４に下側から挿入され、ベース４内の下側ガイド１１及び上側ガイド１２によって支持される。下側ガイド１１及び上側ガイド１２は、フック３を上下動自在に支持するが、縦軸を中心とするフック３の回動も許容している。また、フック３の基部に設けられるＥリング１３と下側ガイド１１との間には、コイルバネ１４が介装されており、このコイルバネ１４によってフック３は常時上方に付勢されている。またさらに、フック３の基端部には、スプリングピン１５が設けられている。スプリングピン１５は、径方向を向いてフック３に設けられ、その両端がフック３の外周から突出しているので、上側ガイド１２の下端に係合し、ガイド孔１２ａへの挿入が制限される。ただし、上側ガイド１２のガイド孔１２ａは、フック３のフック先端３ａが左又は右を向くとき、スプリングピン１５の挿入を許容するように断面形状が設定されている。
【００１１】
次に、室名札１におけるフック３の使用方法について説明する。通常時、フック３は、室名札本体２の裏側に隠れるように収納されている。具体的に説明すると、収納姿勢のフック３は、フック先端３ａが左又は右を向く状態で、エプロン部１０の裏側に隠れており、このときフック３の下端は、エプロン部１０の下端よりも上方に位置している。
【００１２】
フック３を使用する場合は、フック３をコイルバネ１４の付勢力に抗して下方に引き出し、エプロン部１０の下側に露出させる。また、フック３を下方に引き出したら、フック先端３ａが前方を向くように回動操作を行う。このようにすると、フック３の基端部に設けられるスプリングピン１５が上側ガイド１２の下端に係合し、引き出されたフック３の上動がロックされるので、フック３に対して物品を吊下げることが可能になる。このとき、フック先端３ａは、エプロン部１０よりも前方に突出しているので、エプロン部１０に邪魔されることなく、フック３に物品を引っ掛けることができる。
【００１３】
使用後、フック３を収納する場合、フック先端３ａが左又は右を向くようにフック３を回動操作する。このようにすると、フック３の基端部に設けられるスプリングピン１５と上側ガイド１２との係合が解除されるので、フック３がコイルバネ１４の付勢力で上動し、エプロン部１０の裏側に収納される。
【００１４】
叙述の如く構成された本発明の実施の形態において、室名札１には、ネームプレート９が装着できるだけでなく、飾り物等の物品を吊り下げ可能なフック３が設けられるのであるが、フック３の姿勢を、物品を吊り下げる使用姿勢と、室名札本体２の裏側（又は内部）に隠れる収納姿勢とに変更自在（変姿可能）となっている。これにより、不使用時には、フック３を隠すことが可能となり、その結果、フック３によってデザイン性が低下したり、不使用時にフック３が邪魔になる等の不都合を回避できる。
【００１５】
また、収納姿勢のフック３は、室名札本体２の前面下部から垂下するエプロン部１０の裏側に隠れ、使用姿勢のフック３は、エプロン部１０の下側に露出し、かつ、フック先端３ａがエプロン部１０よりも前方に突出するようにしたので、不使用時にフック３が邪魔になることを確実に防止できるだけでなく、使用時においては、エプロン部１０に邪魔されることなく、フック３に物品を引っ掛けることができる。
【００１６】
また、フック３は、室名札本体２の下側に上下動自在に設けられると共に、上方の収納位置に向けて常時付勢され、使用時に下方の使用位置に引き出されるので、不用意にフック３が露出して邪魔になる不都合がない。
【００１７】
また、フック３は、縦軸を中心として回動自在であり、フック先端３ａが左又は右を向く姿勢で下方に引き出された後、フック先端３ａが前方を向くように回動操作することで、上動が規制されるので、フック３の使用に際して複雑な操作を行う必要がないだけでなく、フック３とエプロン部１０の干渉防止も行うことができる。
【図面の簡単な説明】
【００１８】
【図１】本発明の実施形態に係る室名札の正面図である。
【図２】本発明の実施形態に係る室名札の平面図である。
【図３】本発明の実施形態に係る室名札の側面図である。
【図４】本発明の実施形態に係る室名札のＡ−Ａ断面図である。
【図５】本発明の実施形態に係る室名札のＢ−Ｂ断面図である。
【符号の説明】
【００１９】
１    室名札
２    室名札本体
３    フック
３ａ  フック先端
４    ベース
５    表面プレート
６    上部表面プレート
７    下部表面プレート
８    ネームプレート装着部
９    ネームプレート
１０  エプロン部
１１  下側ガイド
１２  上側ガイド
１２ａ  ガイド孔
１３  Ｅリング
１４  コイルバネ
１５  スプリングピン
【図１】
2008164936.tif 000003
【図２】
2008164936.tif 000004
【図３】
2008164936.tif 000005
【図４】
2008164936.tif 000006
【図５】
2008164936.tif 000007